(57)【特許請求の範囲】
【請求項１】
コアシャフトと、
前記コアシャフトの少なくとも先端部外周に巻回された状態で前記コアシャフトに固定されている外側コイル体と、
前記外側コイル体内側に配置され、かつ前記コアシャフトの少なくとも先端部外周に巻回された状態で前記コアシャフトに固定されている内側コイル体と
を備え、
前記外側コイル体は、前記外側コイル体の先端側に配された単線コイルと、前記外側コイル体の基端側に配された多条コイルとを連接してなり、かつ、前記単線コイルの先端は、前記コアシャフトの先端に固着され、最先端部を形成しており、
前記内側コイル体は、その先端が前記最先端部から基端側方向に離間して設けられており、前記内側コイル体の素線径が、前記内側コイル体の先端方向に向かうに従い漸減していることを特徴とする医療用ガイドワイヤ。
【請求項２】
前記内側コイル体の素線径が、前記外側コイル体の素線径より径小とされている請求項１に記載の医療用ガイドワイヤ。
【請求項３】
前記外側コイル体における前記単線コイルの素線径が、前記外側コイル体における前記多条コイルの素線径よりも径小とされている請求項１又は請求項２に記載の医療用ガイドワイヤ。
【請求項４】
前記内側コイル体の基端は、前記外側コイル体における前記単線コイルの基端に配置されている請求項１乃至請求項３のいずれか１項に記載の医療用ガイドワイヤ。
【発明の詳細な説明】
【技術分野】
【０００１】
本発明は、医療用分野で好適に用いられる医療用ガイドワイヤに関するものである。
【背景技術】
【０００２】
医療現場において血管、尿管、又は器官等へのカテーテルの挿入や、血管の動脈瘤形成部への体内留置具の挿入の際にガイドとして用いられる医療用ガイドワイヤ（医療用誘導ワイヤ）は、既によく知られている。通常、前記医療用ガイドワイヤは、コアシャフトと、前記コアシャフトの先端部外周に巻回されたコイル体とを備え、前記コイル体の先端部と前記コアシャフトの先端部とが接合されている。
【０００３】
さらに、前記医療用ガイドワイヤにおいて、前記医療用ガイドワイヤの操作性を向上させるべく、コイル体として多条コイルを採用したものは既に開示されている（例えば、特許文献１参照）。また、外側コイル体と内側コイル体とを備えた二重構造としたものも既に開示されている（例えば、特許文献２参照）。
【先行技術文献】
【特許文献】
【０００４】
【特許文献１】特開２００３−５２８３１号公報
【特許文献２】国際公開９２／０４０７２号
【発明の概要】
【発明が解決しようとする課題】
【０００５】
しかしながら、特許文献１に記載の医療用ガイドワイヤにおいては、操作性は向上するものの、医療用ガイドワイヤの先端部分の形状復元性が劣るため、一度、医療用ガイドワイヤの先端部が変形してしまうと、塑性変形を起こしてしまい、その後の操作が劣る等の問題を有していた。また、特許文献２に記載の医療用ガイドワイヤにおいては、内側コイルが存在する箇所の形状復元性は向上するものの、この形状復元性の向上によって、医療用ガイドワイヤの先端部のシェイピング容易性が低下する問題を有していた。
【０００６】
本発明は、かかる問題点に鑑みてなされたものであり、医療用ガイドワイヤの形状復元性とシェイピング容易性とを両立し、さらに、操作性を向上させることを目的とするものである。
【課題を解決するための手段】
【０００７】
そこで本発明は、コアシャフトと、前記コアシャフトの少なくとも先端部外周に巻回された状態で前記コアシャフトに固定されている外側コイル体と、前記外側コイル体内側に配置され、かつ前記コアシャフトの少なくとも先端部外周に巻回された状態で前記コアシャフトに固定されている内側コイル体とを備え、前記外側コイル体は、前記外側コイル体の先端側に配された単線コイルと、前記外側コイル体の基端側に配された多条コイルとを連接してなり、かつ、前記単線コイルの先端は、前記コアシャフトの先端に固着され、最先端部を形成しており、前記内側コイル体は、その先端が前記最先端部から基端側方向に離間して設けられており、前記内側コイル体の素線径が、前記内側コイル体の先端方向に向かうに従い漸減していることを特徴とする医療用ガイドワイヤを提供するものである。
【０００８】
前記構成にあって、外側コイル体の先端寄りに単線コイルを配し、基端寄りに多条コイルを配したため、全部が多条コイルからなる外側コイル体に比して前記外側コイル体の先端部の剛性のみを低減させることが可能となる。したがって、前記医療用ガイドワイヤとしては、先端から基端に向かって段階的に剛性が高くなるものとなる。さらに本発明にあっては、内側コイル体を備えるため、医療用ガイドワイヤの形状復元性が向上しており、さらには前記内側コイル体の先端を最先端部から基端方向に離間させたため、前記最先端部のシェイピング容易性も確保することが可能となる。また、内側コイル体は先端から基端に向けて剛性が徐々に高くなる構成となるため、より一層緩やかに前記医療用ガイドワイヤの先端部における剛性を高めていくことが可能となり、医療用ガイドワイヤの操作性が極めて良好となる。
【０００９】
また、前記内側コイル体の素線径は前記外側コイル体の素線径より径小とされていてもよい。
【００１０】
上記構成とすると、前記医療用ガイドワイヤの先端部の剛性が先端から基端に向かってより一層緩やかに高くなっていくものとなり、医療用ガイドワイヤの操作性がさらに良好となる。
【００１１】
また、前記外側コイル体における前記単線コイルの素線径は前記外側コイル体における前記多条コイルの素線径よりも径小とされていてもよい。
【００１２】
上記構成とすると、前記医療用ガイドワイヤにおける単線コイルに対応する部分から多条コイルに対応する部分にかけての剛性の差がより一層緩やかなものとなり、医療用ガイドワイヤの操作性がさらに良好となる。
【００１３】
また、前記内側コイル体の基端は、前記外側コイル体における前記単線コイルの基端に配置されていることが望ましい。
【００１４】
上記構成とすると、内側コイル体が単線コイルの内側に配されることとなり、前記単線コイルに対応する部分における形状復元性能を前記内側コイル体によって向上させることができる。さらに、この内側コイル体を配置したことによって、前記外側コイル体における単線コイル部分と多条コイル部分との剛性の格差がより一層緩和されることとなり、前記医療用ガイドワイヤの先端部における剛性がその先端から基端に向かって極めて緩やかに高くなっていくものとなって、全体として極めて良好な操作性が得られることとなる。
【発明の効果】
【００１５】
本発明の医療用ガイドワイヤは、形状復元性とシェイピング容易性を両立し、先端から基端に向かって段階的に剛性が高められている構成であるため、操作性が向上する効果がある。
【図面の簡単な説明】
【００１６】
【図１】実施例１にかかる医療用ガイドワイヤを示す説明図
【図２】実施例２にかかる医療用ガイドワイヤを示す説明図
【図３】実施例３にかかる医療用ガイドワイヤを示す説明図
【図４】実施例４にかかる医療用ガイドワイヤを示す説明図
【図５】実施例５にかかる医療用ガイドワイヤを示す説明図
【発明を実施するための形態】
【００１７】
本発明にかかる医療用ガイドワイヤの実施例を添付図面に従って説明する。
（実施例１）
図１に示すように、医療用ガイドワイヤ１Ａは、先端側が細径で基端側が太径とされている先細り丸棒形状のコアシャフト２Ａを備えている。
【００１８】
また、前記コアシャフト２Ａの先端部には、外側コイル体４が固定されている。前記外側コイル体４は、前記コアシャフト２Ａ先端部の外周に巻回されていると共に、その先端が前記コアシャフト２Ａの先端に固着され、略半球体形の最先端部３を形成している。また、該外側コイル体４の基端は、固定部５を介して前記コアシャフト２Ａに固定されている。なお、前記最先端部３は、前記コアシャフト２Ａの先端の外径より径大な寸法形状とされている。
【００１９】
さらに前記外側コイル体４は、先端側に配された単線コイル４Ａと、基端側に配された多条コイル４Ｂとが連接されて構成されている。さらに詳述すると、前記単線コイル４Ａの先端は最先端部３に固着され、基端は連接固定部１４を介して前記多条コイル４Ｂの先端と連接している。
【００２０】
また、前記コアシャフト２Ａの先端部であって前記外側コイル体４の内側には、単線コイルからなる内側コイル体６Ａが配置されている。さらに詳述すると、前記内側コイル体６Ａは、前記コアシャフト２Ａ先端部の外周に巻回されており、その先端は、最先端部３から基端側方向に離間している。また、前記内側コイル体６Ａは、先端に設けられた固定部７Ａ、及び基端に設けられた固定部７Ｂを介して前記コアシャフト２Ａに固定されている。さらに、前記内側コイル体６Ａの長手寸法を適宜設定する等して、前記内側コイル体６Ａの基端は、前記外側コイル体４における単線コイル４Ａの基端に配置されており、内側コイル体６Ａの基端と前記連接固定部１４（単線コイル４Ａと多条コイル４Ｂとが連接する位置）とは前記シャフト２Ａにおける軸線方向において同じ位置に設定されている。
前記固定部５，７Ａ，７Ｂ，１４は、公知材料を用いた公知技術を好適に採用することができる。
【００２１】
上記構成の医療用ガイドワイヤ１Ａは、外側コイル体４の先端寄り位置に単線コイル４Ａを配し、基端寄り位置に多条コイル４Ｂを配したため、前記外側コイル体４の先端部のみの剛性を低減させることができる。したがって、前記医療用ガイドワイヤ１Ａとしては、先端から基端に向かって段階的に剛性が高くなるものとなる。さらに上記のように、前記外側コイル体４における単線コイル４Ａ内に前記内側コイル体６Ａを配置し、さらに前記内側コイル体６Ａの先端を最先端部３と離間させた状態としたため、前記最先端部３のシェイピング容易性を確保しつつ、前記単線コイル４Ａに対応する部分における形状復元性能を向上させることができる。
【００２２】
このように、前記単線コイル４Ａに対応する部分における形状復元性能が内側コイル体６Ａによって向上すると、前記外側コイル体４における単線コイル４Ａ部分と多条コイル部分４Ｂとの剛性の格差がより一層緩和されることとなり、前記医療用ガイドワイヤ１Ａの先端部における剛性がその先端から基端に向かって極めて緩やかに高くなっていくものとなる。
【００２３】
上記構成において内側コイル体４は、単線コイル４Ａを採用したが、これに代えて多条コイルを採用してもよい。このような構成とすると、前記医療用ガイドワイヤ１Ａの先端部の形状復元性がより一層向上することとなる。
【００２４】
（実施例２）
以下、実施例２にかかる医療用ガイドワイヤ１Ｂを図２に従って説明するが、実施例１と共通する部分については説明を省略し、図中では同じ符号を付すこととする。
前記医療用ガイドワイヤ１Ｂは、内側コイル体６Ｂの素線径が、外側コイル体４における多条コイル４Ｂの素線径より径小とされている。このような構成とすると、前記医療用ガイドワイヤ１Ｂにおける単線コイル４Ａに対応する部分から多条コイル４Ｂに対応する部分にかけての剛性がより一層緩やかに高くなる。
【００２５】
（実施例３）
以下、実施例３にかかる医療用ガイドワイヤ１Ｃを図３に従って説明するが、実施例１，２と共通する部分については説明を省略し、図中では同じ符号を付すこととする。
前記医療用ガイドワイヤ１Ｃは、素線径が先端方向に向かうに従い漸減している内側コイル体６Ｃを採用したものである。このような構成とすることにより、前記内側コイル体６Ｃにおいて、先端から基端に向けて剛性を徐々に高くすることが可能となり、前記医療用ガイドワイヤ１Ｃの先端部における剛性がより一層緩やかに高くすることができる。
【００２６】
なお、図３に示す構成は、内側コイル体６Ｃの外面を先端方向に縮径するテーパー形状とすることにより前記素線径を先端方向に向かうに従い漸減させる構成であるが、その他の形態により前記素線径を先端方向に向かうに従い漸減させる構成としても勿論よい。
【００２７】
（実施例４）
以下、実施例４にかかる医療用ガイドワイヤ１Ｄを図４に従って説明するが、実施例１〜３と共通する部分については説明を省略し、図中では同じ符号を付すこととする。
前記医療用ガイドワイヤ１Ｄは、外側コイル体４における単線コイル４Ｃのコイルピッチが疎巻きとされているものである。このような構成とすることにより、前記医療用ガイドワイヤ１Ｄの先端部のシェイピング容易性が向上する。
【００２８】
（実施例５）
以下、実施例５にかかる医療用ガイドワイヤ１Ｅを図５に従って説明するが、実施例１〜４と共通する部分については説明を省略し、図中では同じ符号を付すこととする。
前記医療用ガイドワイヤ１Ｅは、コアシャフト２Ｂの先端部であって最先端部３と内側コイル体６Ａとの間の部分２０が、プレス加工により扁平形状とされているものである。このような構成とすることにより、前記医療用ガイドワイヤ１Ｅの先端部のシェイピング容易性が向上する。
【００２９】
また、上記実施例１〜５のほか、例えば医療用ガイドワイヤ１Ａ〜１Ｅにおいて先端から基端に向かって段階的に剛性を高めるべく、前記外側コイル体４における前記単線コイル４Ａ，４Ｃの素線径を、前記外側コイル体における前記多条コイル４Ｂの素線径よりも径小とするようにしてもよい。
【００３０】
また、前記外側コイル体４の素線径を、前記外側コイル体４の先端方向に向かうに従い漸減するようにしてもよい。このような構成は、外側コイル体６Ｃにおける単線コイル４Ａ，４Ｃ、及び多条コイル４Ｂの外面を先端方向に縮径するテーパー形状とすることにより提供可能である。ただし、その他の形態により前記素線径を先端方向に向かうに従い漸減させる構成としても勿論よい。
【００３１】
本発明は、上述した実施例に限定されることはなく、本発明の主旨を逸脱しない範囲で適宜設計変更することは勿論可能である。
【符号の説明】
【００３２】
１Ａ〜１Ｅ 医療用ガイドワイヤ
２Ａ，２Ｂ コアシャフト
３ 最先端部
４ 外側コイル体
４Ａ，４Ｃ 単線コイル
４Ｂ 多条コイル
６Ａ〜６Ｃ 内側コイル体
【図１】
0005392783.tif 000002
【図２】
0005392783.tif 000003
【図３】
0005392783.tif 000004
【図４】
0005392783.tif 000005
【図５】
0005392783.tif 000006